(57)【要約】【課題】  連結される２つの筐体に対して開閉動作を行なう際に誤って副操作部に触れてユーザーが意図しない機能が動作しても、この機能を自動的に取り消すことができる携帯端末装置を提供する。【解決手段】  第１筐体６と第２筐体１０の開閉状態を検出する検出部２４と、時間を計測する計時部２６と、副操作部１４，１６が操作されたときに、この操作に対応する機能の動作を開始すると共に計時部２６に所定時間の計測を開始させ、計時部２６が所定時間の計測を終了する前までに、検出部２４から出力される信号に基づいて開動作又は閉動作が行なわれたと判断した場合に、副操作部１４，１６の操作により開始した機能の動作を停止するように制御する制御部２８とを備えるようにした。【選択図】      図３
2005217906.tif 000002
【特許請求の範囲】
【請求項１】
主操作部を有する第１筐体と、第２筐体と、前記第１筐体及び第２筐体を開閉可能に連結する連結部と、
前記主操作部を覆うように前記第２筐体を前記第１筐体上に重ねた閉状態、及びこの閉状態から前記第２筐体が前記第１筐体に対し移動して前記主操作部が外部に露出する開状態のいずれの状態でも、外部に露出する前記第１筐体及び／又は前記第２筐体に設けられた副操作部とを有する携帯端末装置であって、
前記第１筐体と前記第２筐体の開閉状態を検出する検出部と、
時間を計測する計時部と、
前記副操作部が操作されたときに、この操作に対応する機能の動作を開始すると共に前記計時部に所定時間の計測を開始させ、前記計時部が前記所定時間の計測を終了するまでに、前記検出部から出力される信号に基づいて開動作又は閉動作が行なわれたと判断した場合に、前記副操作部の操作により開始した前記機能の動作を停止するように制御する制御部と
を備えることを特徴とする携帯端末装置。
【発明の詳細な説明】
【技術分野】
【０００１】
本発明は、開閉自在に連結される２つの筐体のいずれか一方に主操作部を有すると共に、この２つの筐体を重ね合わせて主操作部が操作できなくなった状態でも操作可能な副操作部を有する携帯端末装置に関するものである。
【背景技術】
【０００２】
従来において、２つの筐体を備えて、一方の筐体に表示部を有すると共に、他方の筐体に主操作部を有し、この他方の筐体における主操作部が配置される主操作面と略直角の軸線を有する連結部により、一方の筐体と他方の筐体のそれぞれの端部が回動可能（開閉可能）に連結される水平回転型携帯端末装置があった（図１及び図２参照）。
【０００３】
この水平回転型携帯端末装置は、その一方の筐体と他方の筐体とを互いに重ね合わせて閉じたときに、一方の筐体の表示部は外側に露出したままであるが、他方の筐体の主操作部は、一方の筐体により覆われて操作することができなくなってしまう。そのため、他方の筐体における主操作部が配置される主操作面と互いに隣り合う側面に副操作部を設けてある。
【０００４】
ここで、一方の筐体により他方の筐体の操作部を覆うように重ね合わせて閉じた状態を閉状態といい、この閉状態から連結部を介して一方の筐体を回動させて、主操作部が露出するようにした状態を開状態ということとする。そして、閉状態から開状態にすることを開動作といい、開状態から閉状態にすることを閉動作ということとする。
【０００５】
また、上記のような副操作部が設けられた水平回転型携帯端末装置と同様に、２つの筐体が折畳み可能（開閉可能）である折畳み型携帯端末装置においても、折畳んだ閉状態で操作することができるように、主操作部とは別に副操作部が設けられているものがあった（例えば、特許文献１参照）。
【０００６】
すなわち、この特許文献１の折畳み型携帯端末装置は、他の一般的な折畳み型携帯端末装置と同様に、一方の筐体に配置された主表示部の表示面と、他方の筐体に配置された主操作部が互いに対向して重なるようになっているので、折畳んだ閉状態では、主表示部は見ることができず、主操作部も操作することができないようになっていた（図５及び図６参照）。
【０００７】
このため、この特許文献１の折畳み型携帯端末装置は、閉状態でも操作することができるように、他方の筐体における主操作部が配置されている面と互いに隣り合う側面に、副操作部が設けられていた。
【０００８】
また、一方の筐体には、主表示部とは別の副表示部が設けられていて、この副表示部の表示面は、主表示部の表示面とは反対側の背面に露出するようになっていたので、閉状態でも主表示部の代わりに副表示部に表示される内容を見ることができるようになっていた。
【特許文献１】特開２００３−２９８７１８号公報
【発明の開示】
【発明が解決しようとする課題】
【０００９】
しかしながら、前記従来の水平回転型携帯端末装置や前記特許文献１の折畳み型携帯端末装置のように、閉状態のときでも操作可能な副操作部を有する携帯端末装置は、２つの筐体に対して開閉動作を行なう際に誤って副操作部に触れてしまうことにより、ユーザーが意図しない機能等が動作してしまうことがあるという問題があった。
【００１０】
即ち、上記携帯端末装置の開閉動作を行なう場合、ユーザーは片手の指先で一方の筐体の側面を押し、一方の筐体を他方の筐体に対して移動させることで開閉動作を行なうことが一般的に行なわれているが、その際、ユーザーが指先で一方の筐体の側面を押すときに誤って一方の筐体の側面又は他方の筐体の側面に配置された副操作部を押してしまい、意図しない機能等が動作してしまうことがあった。
【００１１】
そこで本発明は、上記問題点に鑑みて、連結される２つの筐体に対して開閉動作を行なう際に誤って副操作部に触れてユーザーが意図しない機能が動作しても、この機能を自動的に取り消すことができる携帯端末装置を提供することを課題とするものである。
【課題を解決するための手段】
【００１２】
上記課題を解決するために本発明は、
主操作部を有する第１筐体と、第２筐体と、前記第１筐体及び第２筐体を開閉可能に連結する連結部と、
前記主操作部を覆うように前記第２筐体を前記第１筐体上に重ねた閉状態、及びこの閉状態から前記第２筐体が前記第１筐体に対し移動して前記主操作部が外部に露出する開状態のいずれの状態でも、外部に露出する前記第１筐体及び／又は前記第２筐体に設けられた副操作部とを有する携帯端末装置であって、
前記第１筐体と前記第２筐体の開閉状態を検出する検出部と、
時間を計測する計時部と、
前記副操作部が操作されたときに、この操作に対応する機能の動作を開始すると共に前記計時部に所定時間の計測を開始させ、前記計時部が前記所定時間の計測を終了するまでに、前記検出部から出力される信号に基づいて開動作又は閉動作が行なわれたと判断した場合に、前記副操作部の操作により開始した前記機能の動作を停止するように制御する制御部とを備えるようにしたことを特徴とするものである。
【発明の効果】
【００１３】
このような本発明の携帯端末装置によれば、連結される２つの筐体に対して開閉動作を行なう際に誤って副操作部に触れてユーザーが意図しない機能等が動作しても、この機能を自動的に取り消すことができる。
【発明を実施するための最良の形態】
【００１４】
＜第１の実施形態＞
以下、本発明に係る携帯端末装置の実施の形態について、図面に基づいて具体的に説明する。
図１ないし図４は、本発明の第１の実施の形態に係る水平回転型携帯電話機２（携帯端末装置に相当）について説明するために参照する図である。
【００１５】
図１に示すように、水平回転型携帯電話機２は、主操作部４を有する第１筐体６と、表示部８を有する第２筐体１０を備えている。そして、この第１筐体６と第２筐体１０は、第１筐体６における主操作部４が配置されている主操作面６ａと略直角方向の軸線を有する連結部１２により、図１中の矢印Ａ方向に、回動可能（開閉可能）に連結されている。
【００１６】
また、この水平回転型携帯電話機２は、図１に示すような開状態から図２に示すような閉状態にした場合でも、表示部８に表示される内容を見て操作することができるように、第１筐体６における主操作面６ａと互いに隣り合って、この第１筐体６の長さ方向に平行な一方の側面６ｂに、第１筐体側副操作部として方向指示キー群１４を備えている。この方向指示キー群１４は、主操作部４のテンキーのように押し込むことにより操作することができる３つのキーで構成されており、押し込み操作をすることで、水平回転型携帯電話機２に備わる所定の機能が起動するようになっている。この所定の機能としては、水平回転型携帯電話機２に備わるアドレス帳機能や、留守番電話の再生機能や、着信履歴表示機能等、種々の機能が考えられる。
【００１７】
また、同様に、第２筐体１０において表示部８の表示面８ａが露出している前面１０ａと互いに隣り合って、この第２筐体１０の長さ方向に平行な一方の側面１０ｂには、第２筐体側副操作部としてプッシュキー１６を備えている。このプッシュキー１６も、方向指示キー群１４と同様に、押し込むことにより操作することができるようになっている。
【００１８】
次に、図３は、この水平回転型携帯電話機２の回路構成を示すブロック図である。水平回転型携帯電話機２は、上記に説明した主操作部４、表示部８、方向指示キー群１４及びプッシュキー１６以外に、基地局（不図示）と無線通信を行なうアンテナと接続される通信部１８、受話用のスピーカー２０、送話用のマイクロホン２２、第１筐体６と第２筐体１０の開閉状態を検出する検出部２４、時間を計測する計時部２６、及びこれらを制御する制御部２８を備えている。通信部１８、スピーカー２０及びマイクロホン２２については、一般的な携帯電話機と同様に動作するものであるため、その説明は省略する。
【００１９】
検出部２４は、図１及び図２において図示されていないが、水平回転型携帯電話機２に対して開動作又は閉動作が行なわれることにより、閉状態又は開状態を脱したときに、これを検出して制御部２８にその旨の信号を出力するようになっている。このような検出動作を行なう検出部２４としては、電気的な導通接点、磁気的センサー、光学的センサー、又は機械スイッチ等を用いることができる。
【００２０】
また、計時部２６は、制御部２８からの命令により、所定時間として１秒間を計測するようになっており、この所定時間の計測が終了したときに、その旨の信号を制御部２８に出力するようになっている。
【００２１】
また、制御部２８は、方向指示キー群１４又はプッシュキー１６が操作されると、図４のフローチャートに示すような処理動作を行なうようになっている。
【００２２】
すなわち、制御部２８は、方向指示キー群１４又はプッシュキー１６のいずれかが操作されると（ステップＳ１のＹＥＳ）、この操作に対応する所定の機能を起動するようになっている（ステップＳ２）。
【００２３】
そして、制御部２８は、直ちに計時部２６に所定時間としての１秒間の計測を開始させる（ステップＳ３）。制御部２８は、計時部２６が所定時間の計測を終了するまでの間に、検出部２４から出力される信号に基づいて開動作又は閉動作が行なわれたかどうかについて判断するようになっている（ステップＳ４及びステップＳ５）。
【００２４】
所定時間の計測を終了するまでの間に、開動作又は閉動作が行なわれたと判断した場合には（ステップＳ４のＹＥＳ及びステップＳ５のＮＯ）、ステップＳ２で起動した所定の機能の動作を停止させるようになっている（ステップＳ６）。
【００２５】
ここで、起動した所定の機能を停止するとは、当該機能が起動する直前の状態に戻す処理を意味する。
【００２６】
また、所定時間の計測を終了するまでの間に、開動作又は閉動作が行なわれなかったと判断した場合には（ステップＳ４のＮＯ、又はステップＳ４のＹＥＳ及びステップＳ５のＹＥＳ）、ステップＳ２で起動した所定の機能の動作をそのまま継続させるようになっている。
【００２７】
また、ステップ１において方向指示キー群１４又はプッシュキー１６のいずれかが操作される前に、すでに開動作又は閉動作が行なわれていたような場合でも、方向指示キー群１４又はプッシュキー１６のいずれかが操作されると、制御部２８は、ステップＳ１からステップＳ４を順に経た後に、ステップＳ５で所定時間を経過していないと判断した場合は、ステップＳ６において所定の機能の動作を停止させるようになっている。
【００２８】
このような本実施の形態に係る水平回転型携帯電話機２によれば、方向指示キー群１４又はプッシュキー１６を押した直後、直ちに（所定の時間以内）に開閉動作が行なわれた場合には、この押下操作は「開閉動作の際に勢いあまって押されてしまった操作」であると認識し、起動してしまった機能を停止することができる。
【００２９】
また、図４のフローチャートにおけるステップＳ４において、所定の時間を経過した後に（ステップＳ５のＹＥＳ）、開閉動作が行なわれた場合には、ユーザーが間違えずに落ち着いて操作を行なっていると判断することができる。したがって、ユーザーが所定の機能を動作させることを意図して操作を行なった場合には、この所定の機能の動作を適切に継続させることができる。
【００３０】
＜第２の実施形態＞
次に、図５及び図６に基づいて、本発明の第２の実施の形態に係る折畳み型携帯電話機３０（携帯端末装置に相当）について説明する。第１の実施の形態に係る水平回転型携帯電話機２と同様の部分には同じ符号を付して説明し、同様の構成についての重複する説明は省略するものとする。
【００３１】
図５に示すように、本実施の形態に係る折畳み型携帯電話機３０は、主操作部４を有する第１筐体６と、主表示部３２を有する第２筐体１０を備えている。そして、この第１筐体６と第２筐体１０は、ヒンジ構造の連結部３３を介して、図５中の矢印Ｂ方向に、互いに折畳み可能（開閉可能）に連結されている。
【００３２】
また、この折畳み型携帯電話機３０は、図５に示すような開状態から図６に示すような閉状態にした場合には、主表示部３２に表示される内容を見ることができなくなる。そのため、この折畳み型携帯電話機３０の第２筐体１０には、主表示部３２とは別の副表示部３４が設けられている。
【００３３】
したがって、図５に示すような開状態のときには、第２筐体１０の前面１０ａ側に露出している主表示部３２の表示面３２ａを見ることができ、図６に示すような閉状態のときには、第２筐体１０における前面１０ａ側とは反対の背面１０ｃ側に露出する副表示部３４の表示面３４ａを見ることができるようになっている。
【００３４】
また、折畳み型携帯電話機３０は、第１筐体６の側面６ｂに、第１筐体側副操作部としてのダイヤル３５を備え、第２筐体１０の側面１０ｂに、第２筐体側副操作部としてのプッシュキー１６を備えている。
【００３５】
本実施の形態に係る折畳み型携帯電話機３０においても、第１の実施形態と同様に、第１筐体６のダイヤル３５又は第２筐体１０のプッシュキー１６が押されると、図４に示すステップＳ１からステップＳ４を順に経た後、ステップＳ５で所定時間を経過していないと判断した場合は、ステップＳ６において所定の機能の動作を停止することができるようになっている。
【００３６】
また、第１の実施の形態と同様に、ダイヤル３５又はプッシュキー１６が操作されてから、所定の時間を経過した後に開閉動作が行なわれた場合には、ユーザーが間違えずに落ち着いて操作を行なっていると判断することができる。したがって、ユーザーが所定の機能を動作させることを意図して操作を行なった場合には、この所定の機能の動作を適切に継続させることができる。
【００３７】
＜第３の実施形態＞
次に、図７及び図８に基づいて、本発明の第３の実施の形態に係るスライド型携帯電話機３６（携帯端末装置に相当）について説明する。
【００３８】
図７に示すように、本実施の形態に係るスライド型携帯電話機３６は、主操作部４を有する第１筐体６と、表示部８を有する第２筐体１０を備えている。この第１筐体６には、その幅方向の両方の端部に、長さ方向に平行なガイドレール３８が形成されている。
【００３９】
そして、第２筐体１０には、その幅方向の両方の端部に、第１筐体６のガイドレール３８に対応する係合部４０が形成されており、この係合部４０がガイドレール３８に案内されて矢印Ｃ方向に摺動するようになっている。すなわち、第１筐体６と第２筐体１０は、連結部としてのガイドレール３８及び係合部４０により、図７中の矢印Ｃ方向に、摺動可能（開閉可能）に連結されている。
【００４０】
したがって、このスライド型携帯電話機３６は、図７に示すような開状態から、第２筐体１０が第１筐体６の主操作部４を覆うように摺動して、図８に示すような閉状態にすることができる。
【００４１】
また、折畳み型携帯電話機３０は、第１筐体６の側面６ａに、第１筐体側副操作部としてのシャトルキー４２を備え、第２筐体１０の前面１０ａに、第２筐体側副操作部として３つのキーで構成される方向指示キー群４４を備えている。
【００４２】
ここで、シャトルキー４２は、その円板形状の一部が第１筐体６の外部に突出していると共に突起４２ａが形成されていて、この突起４２ａに手の指先を当接させて円周方向に回動させることにより、操作することができるようになっているものである。
【００４３】
本実施の形態に係る折畳み型携帯電話機３６においても、第１の実施形態及び第２の実施形態と同様に、第１筐体６のシャトルキー４２又は第２筐体１０のプッシュキー１６が押されると、図４に示すステップＳ１からステップＳ４を順に経た後、ステップＳ５で所定時間を判断した場合は、ステップＳ６において所定の機能の動作を停止することができるようになっている。
【００４４】
また、第１の実施の形態と同様に、シャトルキー４２又は方向指示キー群４４が操作されてから、所定の時間を経過した後に開閉動作が行なわれた場合には、ユーザーが間違えずに落ち着いて操作を行なっていると判断することができる。したがって、ユーザーが所定の機能を動作させることを意図して操作を行なった場合には、この所定の機能の動作を適切に継続させることができる。
【００４５】
なお、前記第１ないし第３の実施の形態において、計時部２６は、所定時間として１秒間を計測するようになっていたが、この所定時間は１秒間に限定されるものではなく、例えば、ユーザーが開閉動作を行なう際に勢いあまって副操作部を押してしまう範囲内であると考えられる時間をユーザーが適宜設定することができるようになっていても構わない。
【００４６】
また、前記第１の実施の形態においては、水平回転型携帯電話機２の第１筐体側副操作部及び第２筐体側副操作部として、方向指示キー群１４及びプッシュキー１６のそれぞれが備えられている場合について説明したが、第１筐体側副操作部及び第２筐体側副操作部のそれぞれは、このような方向指示キー群やプッシュキーであってもよいし、ダイヤルやシャトルキー等であってもよい。
【００４７】
また、前記第２の実施の形態においては、折畳み型携帯電話機３０の第１筐体側副操作部及び第２筐体側副操作部として、ダイヤル３５及びプッシュキー１６のそれぞれが備えられている場合について説明したが、第１筐体側副操作部及び第２筐体側副操作部のそれぞれは、このようなダイヤルやプッシュキーであってもよいし、方向指示キー群やシャトルキー等であってもよい。
【００４８】
また、前記第３の実施の形態においては、スライド型携帯電話機３６の第１筐体側副操作部及び第２筐体側副操作部として、シャトルキー４２及び方向指示キー群４４のそれぞれが備えられている場合について説明したが、第１筐体側副操作部及び第２筐体側副操作部のそれぞれは、このようなシャトルキーや方向指示キー群であってもよいし、プッシュキーやダイヤル等であってもよい。
【００４９】
また、前記第１ないし第３の実施の形態においては、携帯端末装置としての水平回転型携帯電話機２、折畳み型携帯電話機３０、及びスライド型携帯電話機３６に、本発明を適用した場合について説明したが、本発明はこれらの実施形態に限定されず、２つの筐体が閉状態又は開状態にすることができるように連結されている他の種類の携帯電話機にも適用することができる。
【００５０】
また、本発明は、携帯電話機に限定されず、ＰＤＡ（Ｐｅｒｓｏｎａｌ  Ｄｉｇｉｔａｌ  Ａｓｓｉｓｔａｎｔ）等のような他の種類の携帯端末装置についても、適用することができることはいうまでもない。
【図面の簡単な説明】
【００５１】
【図１】本発明の第１の実施の形態に係る水平回転型携帯電話機２の開状態を示す斜視図である。
【図２】図１の水平回転型携帯電話機２の閉状態を示す斜視図である。
【図３】図１の水平回転型携帯電話機２の回路構成を示すブロック図である。
【図４】図３の制御部２８の制御手順を示すフローチャートである。
【図５】本発明の第２の実施の形態に係る折畳み型携帯電話機３０の開状態を示す斜視図である。
【図６】図５の折畳み型携帯電話機３０の閉状態を示す斜視図である。
【図７】本発明の第３の実施の形態に係るスライド型携帯電話機３６の開状態を示す斜視図である。
【図８】図７のスライド型携帯電話機３６の閉状態を示す斜視図である。
【符号の説明】
【００５２】
２  水平回転型携帯電話機
４  主操作部
６  第１筐体
６ａ  主操作面
６ｂ  側面
８  表示部
８ａ  表示面
１０  第２筐体
１０ａ  前面
１０ｂ  側面
１０ｃ  背面
１２  連結部
１４  方向指示キー群
１６  プッシュキー
１８  通信部
２０  スピーカー
２２  マイクロホン
２４  検出部
２６  計時部
２８  制御部
３０  折畳み型携帯電話機
３２  主表示部
３２ａ  表示面
３３  連結部
３４  副表示部
３４ａ  表示面
３５  ダイヤル
３６  スライド型携帯電話機
３８  ガイドレール
４０  係合部
４２  シャトルキー
４２ａ  突起
４４  方向指示キー群
【図１】
2005217906.tif 000003
【図２】
2005217906.tif 000004
【図３】
2005217906.tif 000005
【図４】
2005217906.tif 000006
【図５】
2005217906.tif 000007
【図６】
2005217906.tif 000008
【図７】
2005217906.tif 000009
【図８】
2005217906.tif 000010